(57)【要約】【課題】簡易な構成でありながら、ワイヤーの固定を可能とした電子機器を提供すること。【解決手段】電子機器の外観の一部を形成する外装部材と、電気的な接続が可能なワイヤーと、ワイヤーを接続する接続部を電子機器内部に備え、外装部材には、ワイヤーの規制方向が異なる第１の固定部、第２の固定部、第３の固定部からなる固定群が設けられており、第１の固定部は、ワイヤーを接続部へ接続する第１の方向を規制し、第２の固定部は、第１の方向に直交する第２の方向を規制し、第３の固定部は、第２の方向に対向する第３の方向を規制し、第１の固定部と第３の固定部の第２の方向の高さは、第２の固定部のワイヤーの規制面よりも高く、第２の固定部と第３の固定部の第１の方向の高さは、第１の固定部のワイヤーの規制面よりも高く、第１の固定部と第２の固定部の第１の間隔と、記第２の固定部と第３の固定部の第２の間隔は、前記ワイヤーの径よりも大きい。【選択図】図７
2018189668.tif 000002
【特許請求の範囲】
【請求項１】
電子機器の外観の一部を形成する外装部材と、
電気的な接続が可能なワイヤーと、
前記ワイヤーを接続する接続部を電子機器内部に備え、
前記外装部材には、前記ワイヤーの規制方向が異なる第１の固定部、第２の固定部、第３の固定部からなる固定群が設けられており、
前記第１の固定部は、前記ワイヤーを前記接続部へ接続する第１の方向を規制し、
前記第２の固定部は、前記第１の方向に直交する第２の方向を規制し、
前記第３の固定部は、前記第２の方向に対向する第３の方向を規制し、
前記第１の固定部と前記第３の固定部の第２の方向の高さは、前記第２の固定部の前記ワイヤーの規制面よりも高く、
前記第２の固定部と前記第３の固定部の第１の方向の高さは、前記第１の固定部の前記ワイヤーの規制面よりも高く、
前記第１の固定部と前記第２の固定部の第１の間隔と、前記第２の固定部と前記第３の固定部の第２の間隔は、前記ワイヤーの径よりも大きいことを特徴とする電子機器。
【請求項２】
前記第１の固定部、前記第２の固定部、前記第３の固定部からなる、第１の固定群と、前記第１の固定部、前記第２の固定部、前記第３の固定部からなる、第２の固定群を、備えたことを特徴とする請求項１に記載の電子機器。
【請求項３】
三脚との接続部である三脚座を備えており、前記第１の固定群と前記第２の固定群は、前記三脚座を挟んで左右に配置されることを特徴とする請求項２に記載の電子機器。
【請求項４】
被写体の光学像を電気信号に変換する撮像素子と、電子機器の保持部であるグリップ部と、前記接続部が実装された制御基板を備えており、前記接続部は、前記三脚座よりも前記グリップ部が配置される側に配置され、前記前記第１の固定群は、前記三脚座よりも前記グリップ部が配置される側に配置されることを特徴とする請求項１乃至請求項３の何れか一項に記載の電子機器。
【発明の詳細な説明】
【技術分野】
【０００１】
本発明は、電子機器に関し、特にワイヤーの固定に関する。
【背景技術】
【０００２】
従来、デジタルカメラなどの電子機器において、液晶表示パネルを機器本体に対して回動可能にヒンジ機構で支持するバリアングル構成が知られている。バリアングル構成においては、回動動作により信号線が断線しないように、フレキシブル基板ではなく、ワイヤーによって、液晶表示パネルと本体の制御基板を接続している。
【０００３】
上記構成において、近年の電子機器の小型化に伴い、電子機器内部の空間は縮小傾向にあるため、ワイヤーを機器内部に這い回す際に、他の部品との干渉、挟み込みが懸念される。それを回避するために、従来、ワイヤーを固定する対策が施されている。
【０００４】
特許文献１には、ワイヤーを固定する固定部材を設け、その固定部材を外装部材に固定することで、ワイヤーを固定する技術が開示されている。
【先行技術文献】
【特許文献】
【０００５】
【特許文献１】特開２０１６−５２０５３号公報
【発明の概要】
【発明が解決しようとする課題】
【０００６】
しかしながら、上述の特許文献１に開示された従来技術では、ワイヤー固定のための固定部材を別途設ける必要があり、筐体に対して固定部材を取り付ける組立工数が増えてしまう。また、部品点数が増えてしまうため、コストが増加してしまう。
【０００７】
そこで、本発明の目的は、簡易な構成でありながら、ワイヤーの固定を可能とした電子機器を提供することにある。
【課題を解決するための手段】
【０００８】
上記の目的を達成するために、本発明に係る電子機器は、
電子機器の外観の一部を形成する外装部材と、電気的な接続が可能なワイヤーと、前記ワイヤーを接続する接続部を電子機器内部に備え、前記外装部材には、前記ワイヤーの規制方向が異なる第１の固定部、第２の固定部、第３の固定部からなる固定群が設けられており、前記第１の固定部は、前記ワイヤーを前記接続部へ接続する第１の方向を規制し、前記第２の固定部は、前記第１の方向に直交する第２の方向を規制し、前記第３の固定部は、前記第２の方向に対向する第３の方向を規制し、前記第１の固定部と前記第３の固定部の第２の方向の高さは、前記第２の固定部の前記ワイヤーの規制面よりも高く、前記第２の固定部と前記第３の固定部の第１の方向の高さは、前記第１の固定部の前記ワイヤーの規制面よりも高く、前記第１の固定部と前記第２の固定部の第１の間隔と、前記第２の固定部と前記第３の固定部の第２の間隔は、前記ワイヤーの径よりも大きいことを特徴とする。
【発明の効果】
【０００９】
本発明によれば、簡易な構成でありながら、ワイヤーの固定を可能とした電子機器を提供することができる。
【図面の簡単な説明】
【００１０】
【図１】本発明に係る、カメラの外観斜視図である。
【図２】本発明に係る、バリアングルユニットの回動動作を示す図である。
【図３】本発明に係る、カメラのブロック図である。
【図４】本発明に係る、カメラの内部構成を示した斜視図である。
【図５】本発明に係る、ワイヤーのはい回しを示した図である。
【図６】本発明に係る、ワイヤーの固定について示した図である。
【図７】本発明に係る、リブの配置について示した図である。
【発明を実施するための形態】
【００１１】
以下、本発明の好適な実施形態について、添付図面を参照して詳細に説明する。なお、以下の実施形態は、特許請求の範囲に係る本発明を限定するものでなく、また本実施形態で説明されている特徴の組み合わせの全てが、本発明の課題の解決に必須のものとは限らない。
【００１２】
まずは、図１を用いて本発明を適用した機器本体としての、カメラ本体１の構成について説明する。図１は、カメラ本体１の外観を示す図である。図１（ａ）はカメラ本体１を被写体側から見た斜視図であり、図１（ｂ）はカメラ本体１を撮影者側から見た斜視図である。
【００１３】
カメラ本体１は、被写体の光学像を電気信号に変換する撮像素子１１（図３参照）を有するデジタルカメラである。カメラ本体１の背面には、撮像素子１１によって取得される画像や、各種設定画面等を表示する表示手段である画像表示部としての液晶表示装置（以下、ＴＦＴ２と称する）を有した筐体としてのバリアングルユニット１００が設けられている。ＴＦＴ２にはタッチパネル３が設けられており、ユーザーのタッチ入力操作によってＴＦＴ２の表示切り換えや、レリーズ、カメラ本体１の各種設定変更を行うことができる。４は入力操作部であり、タッチパネル３と同様にカメラ本体１に各種設定変更やカメラ電源のＯＮ／ＯＦＦ等や、表示の点灯開始といった入力操作を行う。５はカメラ本体１の外装部品となる背面外装カバーであり、バリアングルユニット１００が収納される凹形状が設けられている。背面外装カバー５は、請求項記載の外装部材に相当する。
【００１４】
６は、ユーザーがカメラ本体１を保持するグリップ部であり、カメラ本体１を背面から見た際の右側に設けられる。以後、カメラ本体１を背面から見た際の右側のことを右側と称し、カメラ本体１を背面から見た際の左側のことを左側と称する。グリップ部６は、ユーザーが握りやすいように凸形状となっている。７は、カメラ本体１の内部に配置される外部メモリ接続部１２（図４参照）に、ＣＦカードやＳＤカード等の外部メモリを挿抜するために、開閉されるメディアドアであり、グリップ部６を成す一つの外装部材である。外部メモリ接続部１２については後述する。９は、ＵＳＢケーブルや外部機器と接続するインターフェース部であり、ユーザーがカメラ本体１を握った状態で、外部機器と接続可能なように、グリップ部６の反対側であるカメラ本体１の左側に配置する。
【００１５】
バリアングルユニット１００は、ヒンジ機構８によってカメラ本体１に対して回動可能に支持されており、カメラ本体１に対する姿勢を変更することが可能である。ユーザーが、カメラ本体１を握った状態でバリアングルユニット１００の回動動作ができるように、ヒンジ機構８は、グリップ部６とは反対側であるカメラ本体１の左側に設けられる。本実施例では、グリップ部６を、カメラ本体１の右側に配置する構成について説明しているが、左側に配置しても構わない。その場合、ヒンジ機構８はグリップ部６の反対側のカメラ本体１の右側に配置される。
【００１６】
図２は、バリアングルユニット１００の回動動作と姿勢について表した図であり、図２を用いてバリアングルユニット１００の回動動作について説明する。
【００１７】
ヒンジ機構８は、２軸ヒンジ機構であって、第１の回転軸Ａと第２の回転軸Ｂを有し、第１の回転軸Ａを中心にバリアングルユニット１００を回動させることで、バリアングルユニット１００をカメラ本体１に対して開閉することができる。なお、図２（ａ）では、バリアングルユニット１００が開状態となる姿勢を示している。以下、図２（ｂ）で示すようにバリアングルユニット１００が画像表示面をカメラ本体１側に向け、カメラ本体１の背面外装カバー５に収納された状態を閉状態とする。また、第１の回転軸Ａを中心に回動させてバリアングルユニット１００とカメラ本体１の角度を変化させることを開閉動作とし、開状態から閉状態へと動作させることを閉動作、閉状態から開状態へと動作させることを開動作とする。
【００１８】
第２の回転軸Ｂを中心にバリアングルユニット１００を回動させることで、バリアングルユニット１００の画像表示面をカメラ本体１の被写体側や背面側に向けることもできる。なお、図２（ｃ）では、バリアングルユニット１００が開状態であって、画像表示面がカメラ本体１の被写体側に向いている状態を示している。以下、前述した開閉動作と区別するため、バリアングルユニット１００を第２の回転軸Ｂを中心に回動させることを回転動作とする。
【００１９】
次に、本実施例に係るカメラ本体１の主要な構成について説明する。図３は、本実施例のカメラ本体１の主要な構成を示すブロック図である。
【００２０】
前述した撮像素子１１で得られた画像信号は、カメラ動作の各制御を行うマイクロコンピュータ１０（以下、ＭＰＵ１０と称す）で処理される。取得された画像信号は、ＭＰＵ１０によってＴＦＴ２に表示される。また、ＭＰＵ１０にはタッチパネル３や入力操作部４による入力信号が伝達され、ＭＰＵ１０は入力信号に基づいたカメラ動作を制御する。１２は外部メモリ接続部で、ＭＰＵ１０は、外部メモリ接続部１２に接続されている外部メモリに画像データを記録させる。ＭＰＵ１０は、インターフェース部９に接続された外部機器からの入力信号を受け取り、入力に基づいて、カメラ動作の制御や、外部機器の制御を行う。
【００２１】
次に、カメラ本体１の内部の構成について図４を用いて説明する。図４は、本実施例のカメラ本体１の内部構成を示す図である。
【００２２】
２１は、後述するコネクタ２２や、ＭＰＵ１０が実装された制御基板であり、カメラ制御に係る信号が制御基板上の配線によってＭＰＵ１０へと伝送される。なお、外部メモリ接続部１２は、ＣＦカードやＳＤカード等の外部メモリが接続されるコネクタであり、制御基板２１に実装されている。先述したように、インターフェース部９は制御基板２１の左側に配置されるため、外部メモリ接続部１２は、基板上スペースのある制御基板２１の右側に配置される。ＭＰＵ１０は、外部メモリ接続部１２に接続されている外部メモリに画像を記録させるため、ＭＰＵ１０と外部メモリ接続部１２の間で画像信号を伝送する。画像信号は高速伝送が必要な信号であるため、信号へのノイズ影響を考慮し、基板上の配線長を極力短くしたい。そのため、ＭＰＵ１０は、外部メモリ接続部１２が配置されている制御基板２１の右側に配置し、ＭＰＵ１０と外部メモリ接続部１２の距離を近接させる。
【００２３】
２２は、ＴＦＴ２と制御基板２１を接続するためのワイヤー２５（図５参照）が接続されるコネクタ２２であり、制御基板２１に実装されている。コネクタ２２は、請求項記載の接続部に相当する。ワイヤー２５のはい回しについては後述する。ＭＰＵ１０は、ＴＦＴ２に画像を表示させるため、ＭＰＵ１０とＴＦＴ２の間で画像信号を伝送する。画像信号は高速伝送が必要な信号であるため、信号へのノイズ影響を考慮し、基板上の配線長を極力短くしたい。そのため、コネクタ２２は、ＭＰＵ１０が配置されている制御基板２１の右側に配置し、ＭＰＵ１０とコネクタ２２の距離を近接させる。
【００２４】
２３は、三脚が接続可能な三脚座であり、撮影時の振動によるブレの影響を極力小さくするため、カメラＸ方向の、中心もしくは光軸近傍かつ、カメラの底面に配置される。三脚座２３は、請求項記載の三脚座に相当する。
【００２５】
次に、ワイヤー２５のはい回しについて図５と図６を用いて説明する。図５は、本実施例のワイヤー２５の配線経路を示す図であり、図６は、本実施例のワイヤー２５の固定方法について示した図である。
【００２６】
２５は、ＴＦＴ２と制御基板２１を接続するための、複数の信号線が束ねられたワイヤーであり、ワイヤーコネクタ部２５ａはコネクタ２２に接続され、もう一方はバリアングルユニット１００内に配置されたＴＦＴ２に接続されている。ワイヤー２５は、請求項記載のワイヤーに相当する。バリアングルユニット１００は、カメラ本体１に対して回動動作を行うため、回動動作による断線の懸念を考慮し、ＴＦＴ２と制御基板２１はワイヤー２５によって接続される。なお、ワイヤー２５は、ノイズの影響を考慮し、信号線をＧＮＤでシールドした細線同軸ケーブルを複数本束ねたワイヤーハーネスである。
【００２７】
ワイヤー２５は、背面外装カバー５の内側に設けられた第１のリブ群３０と第２のリブ群４０の２箇所によって、背面外装カバー５の内側かつ下側に固定される。第１のリブ群３０は、請求項記載の第１の固定群に相当し、第２のリブ群４０は請求項記載の第２の固定群に相当する。バリアングルユニット１００とカメラ本体１の接続部であるヒンジ機構８は、カメラ本体１の左側に配置され、コネクタ２２はカメラ本体１の右側に配置されるため、ワイヤー２５はカメラ本体１内を左右に横断するように、長い距離をはい回すことになる。はい回し距離が長いことで、ワイヤー２５がたわみ、組立時に他部品との挟み込みが懸念されるため、第１のリブ群３０を三脚座２３よりも右側に、第２のリブ群４０を三脚座２３よりも左側に配置することで、カメラの左右でワイヤー２５のたわみを抑制する。図５、図６の三脚座２３はカメラ状態で三脚座２３が配置される箇所である。
【００２８】
続いて、第１のリブ群３０と第２のリブ群４０の詳細形状について説明する。第１のリブ群３０は、ワイヤー２５の規制方向がそれぞれ異なる、第１のリブ３１、第２のリブ３２、第３のリブ３３によって構成される。第１のリブ３１、第２のリブ３２、第３のリブ３３はそれぞれ、請求項記載の第１の固定部、第２の固定部、第３の固定部に相当する。第２のリブ群４０は、ワイヤー２５の規制方向がそれぞれ異なる、第１のリブ４１、第２のリブ４２、第３のリブ４３によって構成される。第１のリブ４１、第２のリブ４２、第３のリブ４３はそれぞれ、請求項記載の第１の固定部、第２の固定部、第３の固定部に相当する。
【００２９】
第１のリブ３１は、ワイヤーコネクタ部２５ａをコネクタ２２に接続する方向である第１の方向５１を規制するように形成される。第１の方向５１は、請求項記載の第１の方向に相当する。詳しくは、第１の方向５１に、背面外装カバー５と第１のリブ３１との間に空間が出来るように、Ｙ方向に突となる形状であり、その空間にワイヤー２５を固定することで、第１の方向５１へワイヤー２５が変位することを規制する。
【００３０】
第２のリブ３２は、第１のリブ３１から抜ける方向かつ、第１の方向５１に直交する方向である第２の方向５２を規制するように形成される。第２の方向５２は、請求項記載の第２の方向に相当する。詳しくは、第２の方向５２に、背面外装カバー５と第２のリブ３２との間に空間が出来るように、Ｚ方向に突となる形状であり、その空間にワイヤー２５を固定することで、第２の方向５２へワイヤー２５が変位することを規制する。
【００３１】
第３のリブ３３は、第２の方向５２に対向する方向である第３の方向５３を規制するように形成される。第３の方向５３は、請求項記載の第３の方向に相当する。詳しくは、Ｙ方向に突となる形状であり、その突面にワイヤー２５が当接することで、第３の方向５３への変位を規制する。第３のリブ３３がワイヤー２５を規制することで、ワイヤー２５は第２のリブ３２に確実に当接するため、第２のリブ３２から外れづらくなる。また、ワイヤー２５が、第２のリブ３２に確実に当接することで、カメラ底面側に付勢されるため、第１のリブ３１からも外れづらくなる。
【００３２】
次に、各リブの位置関係と寸法関係について、図７を用いて説明する。図７は、本実施例に係る各リブの寸法関係について示した図で、図７（ａ）は、第１のリブ群３０の配置を示す斜視図であり、図７（ｂ）は第１のリブ群３０をＸ，Ｙ平面から見た図で、図７（ｃ）は、第１のリブ群３０をＸ，Ｚ平面から見た図である。
【００３３】
まず、各リブの配置について説明する。カメラ本体１の右側から、第１のリブ３１、第２のリブ３２、第３のリブ３３の順に配置される。ワイヤーコネクタ部２５ａをコネクタ２２に接続する際に、第１の方向５１にワイヤー２５が変位しないように、ワイヤーコネクタ部２５ａに最も近いカメラの右側に、第１のリブ３１を配置する。第２のリブ３２は、第１のリブ３１からワイヤー２５が外れないように、第１のリブ３１からワイヤー２５が抜ける方向の第２の方向５２を規制するため、第１のリブ３１の隣に配置される。第３のリブ３３は、第２のリブ３２と合わせることで、ワイヤー２５を第１のリブ３１からより外れないように、ワイヤー２５をカメラ底面側に付勢するため、第２のリブ３２の隣に配置される。第１のリブ３１と第２のリブ３２の第１のリブ間距離３４と、第２のリブ３２と第３のリブ３３の第２のリブ間距離３５はワイヤー２５の径よりも大きくする。第１のリブ間距離３４と第２のリブ間距離３５は、それぞれ請求項記載の第１の間隔と第２の間隔に相当する。そうすることで、各リブにワイヤー２５を固定する際に、リブ間にワイヤー２５を挟み込んだり、圧をかけることなく、ワイヤー２５を組み込むことができ、良好な作業性を確保することができる。
【００３４】
次に、各リブのＹ方向の高さの関係について説明する。第１のリブ３１のＹ方向高さ３１ａと、第３のリブ３３のＹ方向高さ３３ａは、第２のリブ３２のワイヤー当接面高さ３２ａよりもＹ方向プラス側に高い関係とする。第１のリブ３１のＹ方向高さ３１ａと、第３のリブ３３のＹ方向高さ３３ａは、請求項記載の第１の固定部と第３の固定部の第２の方向の高さに相当する。第１のリブ３１のＹ方向高さ３１ａが、第２のリブ３２のワイヤー当接面高さ３２ａよりも高いことで、ワイヤー２５は、ワイヤー当接面高さ３２ａより低い位置に規制されるため、第１のリブ３１からワイヤー２５が外れることを防止する。第３のリブ３３のＹ方向高さ３３ａが、ワイヤー当接面高さ３２ａよりも高いことで、ワイヤー２５は、確実に第２のリブ３２に当接することになり、カメラ底面側に付勢されるため、ワイヤー２５を第１のリブ３１から更に外れづらくする。
【００３５】
次に、各リブのＺ方向の高さの関係について説明する。第２のリブ３１のＺ方向高さ３１ｂと、第３のリブ３３のＺ方向高さ３３ｂは、第１のリブ３１のワイヤー当接面高さ３１ｂよりもＺ方向プラス側に高い関係とする。第２のリブ３１のＺ方向高さ３１ｂと、第３のリブ３３のＺ方向高さ３３ｂは、請求項記載の第２の固定部と第３の固定部の第１の方向の高さに相当する。第２のリブ３２の高さ３２ｂと第３のリブ３３の高さ３３ｂが、第１のリブ３１のワイヤー当接面高さ３１ｂよりも高いことで、ワイヤー当接面高さ３１ｂより低い位置に規制されるため、ワイヤー２５が第２のリブ３２と第３のリブ３２から外れることを防止する。
【００３６】
第２のリブ群４０を構成する、第１のリブ４１、第２のリブ４２、第３のリブ４３の形状、位置関係、寸法関係は、第１のリブ群３０の、第１のリブ３１、第２のリブ３２、第３のリブ３３と同じ関係である。
【００３７】
上述したように、ワイヤー２５を、背面外装カバー５に形成された第１のリブ群３０と第２のリブ群４０に固定することで、ワイヤー２５のたわみを抑制させることができ、他部品への挟み込みの懸念を低減可能である。また、ワイヤー２５固定用に部品を追加することなく、簡易な構成でありながら、ワイヤー２５の固定を可能とした電子機器を提供することが可能となる。
【符号の説明】
【００３８】
１  カメラ本体、２  ＴＦＴ、５  背面外装カバー、１０  ＭＰＵ、
２１  制御基板、２２  コネクタ、２３  三脚座、２５  ワイヤー、
２５ａ  ワイヤーコネクタ、３０  第１のリブ群、３１  第１のリブ、
３２  第２のリブ、３３  第３のリブ、４０  第２のリブ群、５１  第１の方向、
５２  第２の方向、５３  第３の方向、１００  バリアングルユニット
【図１】
2018189668.tif 000003
【図２】
2018189668.tif 000004
【図３】
2018189668.tif 000005
【図４】
2018189668.tif 000006
【図５】
2018189668.tif 000007
【図６】
2018189668.tif 000008
【図７】
2018189668.tif 000009